(57)【要約】【課題】  カメラ本体から交換レンズへの供給電力が不足する状態や、ＧＮＤレベルの異なる外部電源を使用する状態においても、カメラ本体や交換レンズが誤動作なく安定して動作することを可能にした、光学装置を提供する。【解決手段】  カメラ装置に着脱可能であって、カメラ装置との接続時にはカメラ装置からの電源供給を受けるレンズ装置であって、可動光学要素を駆動するドライブユニット手段と、カメラ装置からの電圧をドライブユニット手段を駆動するための電圧に変換する電圧変換部と、電圧変換部で変換された電源電圧をドライブユニットに供給することができる電源出力接続部と、を有し、ドライブユニット手段は、電源出力接続部又は外部電源から選択的に電源供給を受けるための電源入力接続部を有し、電源入力接続部が電源出力接続部と接続されていないときは電圧変換部とは電気的に独立している、ことを特徴とする。【選択図】  図１
2015028538.tif 000002
【特許請求の範囲】
【請求項１】
カメラ装置に着脱可能であって、前記カメラ装置との接続時には該カメラ装置からの電源供給を受けるレンズ装置であって、
可動光学要素を駆動するドライブユニット手段と、前記カメラ装置からの電圧を該ドライブユニット手段を駆動するための電圧に変換する電圧変換部と、該電圧変換部で変換された電源電圧を該ドライブユニットに供給することができる電源出力接続部と、を有し、
前記ドライブユニット手段は、前記電源出力接続部又は外部電源から選択的に電源供給を受けるための電源入力接続部を有し、該電源入力接続部が前記電源出力接続部と接続されていないときは前記電圧変換部とは電気的に独立している、
ことを特徴とするレンズ装置。
【請求項２】
接続されたカメラ装置から供給された電源の状態を確認する電源監視手段を有する、ことを特徴とする請求項１に記載のレンズ装置。
【請求項３】
前記電源監視手段で確認した状態が、接続されたカメラ装置の電源が前記ドライブユニット手段で使用するのに適しているか否かを判断する演算手段を有する、ことを特徴とする請求項１又は２に記載のレンズ装置。
【請求項４】
前記演算手段で判断した情報を表示する表示手段を有する、ことを特徴とする請求項１乃至３のいずれか１項に記載のレンズ装置。
【請求項５】
請求項１乃至４のいずれか１項に記載のレンズ装置と、該レンズ装置からの被写体光を受光するカメラ装置とを含む撮像装置。
【発明の詳細な説明】
【技術分野】
【０００１】
本発明は、レンズ装置に関し、特に、可動光学部材を駆動するドライブユニットを備え、接続するカメラ装置から制御電源を受けるレンズ装置、及び、それを有する撮像装置に関するものである。
【背景技術】
【０００２】
従来、交換レンズへの電源は、交換レンズが接続されるカメラ装置と、それとは別の外部電源の両方から供給することが可能であった。この時交換レンズは、外部電源が接続されていない時は、カメラ本体の電源で動作し、外部電源が接続されている時は、外部電源を用いて動作する。
【０００３】
例えば、特許文献１では、ズームサーボ及びフォーカスサーボで駆動する駆動量が所定値より大きく、カメラ本体からの供給電力が不足して撮影した映像信号にノイズ等の悪影響が出ることが懸念される場合、交換レンズ内のズームサーボ及びフォーカスサーボを動作させる電源を外部電源に切り替える技術が開示されている。
【先行技術文献】
【特許文献】
【０００４】
【特許文献１】特開平７−９９５９９号公報
【発明の概要】
【発明が解決しようとする課題】
【０００５】
しかしながら、上述の特許文献に開示された従来技術では、外部電源が接続されていない状態でカメラ本体からの供給電力が不足すると、交換レンズの動作が不安定になり誤動作を起こすことがある。また、カメラ本体にも影響を与え、映像の乱れ等を発生させる要因にもなる。
【０００６】
一方、特許文献１で開示されているドライブ装置とレンズ装置における共通ＧＮＤ回路の構成において、交換レンズに外部電源を接続する際、カメラ本体とは異なるＧＮＤレベルの外部電源を接続すると、交換レンズやカメラ本体の状態が不安定になり誤動作を起こすことがある。
【０００７】
そこで、本発明の目的は、カメラ本体から交換レンズへの供給電力が不足する場合や、ＧＮＤレベルの異なる外部電源を使用する場合であっても、カメラ本体や交換レンズが誤動作なく安定して動作することを可能にした、レンズ装置及びそれを有する撮像装置を提供することである。
【課題を解決するための手段】
【０００８】
上記目的を達成するために、本発明は、カメラ装置に着脱可能であって、前記カメラ装置との接続時には該カメラ装置からの電源供給を受けるレンズ装置であって、可動光学要素を駆動するドライブユニット手段と、前記カメラ装置からの電圧を該ドライブユニット手段を駆動するための電圧に変換する電圧変換部と、該電圧変換部で変換された電源電圧を該ドライブユニットに供給することができる電源出力接続部と、を有し、前記ドライブユニット手段は、前記電源出力接続部又は外部電源から選択的に電源供給を受けるための電源入力接続部を有し、該電源入力接続部が前記電源出力接続部と接続されていないときは前記電圧変換部とは電気的に独立している、ことを特徴とする。
【発明の効果】
【０００９】
本発明によれば、カメラ本体から交換レンズへの供給電力が不足する場合や、ＧＮＤレベルの異なる外部電源を使用する場合であっても、カメラ本体や交換レンズが誤動作なく安定して動作することを可能にした、レンズ装置及びそれを有する撮像装置を提供することができる。
【図面の簡単な説明】
【００１０】
【図１】実施例１を示すブロック図
【図２】実施例１の演算部で行う処理の一例を示すフローチャート
【発明を実施するための形態】
【００１１】
以下に、本発明の好ましい実施の形態を、添付の図面に基づいて詳細に説明する。図１は、本発明の実施形態に係るブロック図である。
【実施例１】
【００１２】
以下、図１を参照して、本発明のレンズ装置を含む撮像装置の第１の実施例による、構成を示すブロック図について説明する。
【００１３】
２０はレンズ装置、１０は該レンズ装置に着脱可能なカメラ装置である。カメラ装置１０にレンズ装置２０を接続することにより、撮像装置が構成され、レンズ装置２０からの被写体光をカメラ装置１０の撮像素子は受光し、映像を撮影することが可能となる。
【００１４】
レンズ装置２０は、不図示の可動光学要素であるズームレンズやフォーカスレンズ、絞り、光路内に挿抜可能な光学要素、の少なくとも１つを駆動するドライブユニット部３０を有し、ドライブユニット部３０内に構成された不図示の駆動部を用いてズームレンズやフォーカスレンズ、絞り等を駆動する。
【００１５】
カメラ装置１０には、カメラ電源部１１が構成され、レンズ装置２０との接続時には電源供給手段として該レンズ装置に対し直流電源を供給することが可能である。なお、供給される電源は、図中、ＧＮＤラインと電圧１ラインで表されている。
【００１６】
レンズ装置２０には、電圧変換部２１が構成され、カメラ電源部１１からＧＮＤラインと電圧１ラインで直流電源が供給されている。電圧変換部２１では、カメラ電源部１１から受けた直流電圧（電圧１）をドライブユニット部３０で使用可能な直流電圧（電圧２）に変換する。この構成により、カメラ装置１０から受けた電源電圧（電圧１）に依存することなく、ドライブユニット部３０に構成された駆動部に対し、安定した直流電源を提供することができ、該駆動部を駆動することが可能となる。
【００１７】
レンズ装置２０には、鏡筒電源接続部（電源出力接続部）２２が構成され、電圧変換部２１で変換され出力された直流電圧（電圧２）が電圧２ラインとＧＮＤラインを通して外部に直流電源（電圧２）を供給することが可能となっている。
【００１８】
ドライブユニット部３０にはドライブ電源接続部（電源入力接続部）３１が接続され、ドライブユニット部３０に電源を供給することが可能である。ドライブ電源接続部３１は電源供給元に接続するＧＮＤラインと電圧ＤＵラインを有する。また、ドライブ電源接続部３１は、レンズ装置２０に構成されている鏡筒電源接続部２２に接続可能であり、鏡筒電源接続部（電源出力接続部）２２と外部電源とに選択的に接続することが可能である。ドライブ電源接続部３１を鏡筒電源接続部２２に接続した状態では、電圧ＤＵラインと電圧２ライン、またＧＮＤライン同士が接続される。それにより、カメラ装置１０のカメラ電源部１１からレンズ装置２０を介してドライブユニット部３０に電源を供給することが可能となる。
【００１９】
このように構成することで、ドライブユニット部３０は、カメラ電源部１１の電源を用いてドライブユニット部３０に構成された駆動部を駆動し、レンズ装置２０のズームレンズやフォーカスレンズ、絞り、光路内に挿抜可能な光学要素を動作させることが可能となる。また、ドライブ電源接続部３１を不図示の外部電源に接続することにより、外部電源を用いてドライブユニット部３０に構成された駆動部を駆動することも可能となる。
【００２０】
ドライブ電源接続部３１と鏡筒電源接続部２２が接続されない状態では、カメラ電源部１１とドライブユニット部３０は、ＧＮＤラインを含め、電気的に切断された（独立した）状態となる。そのため、カメラ電源部１１の容量不足によるドライブユニット部３０の誤動作は発生しない。また、外部電源がドライブ電源接続部３１に接続された状態においても、外部電源とカメラ電源部１１のＧＮＤレベルとの違いによる誤動作は発生しない。
【００２１】
レンズ装置２０には、電源監視部２３、演算部２４、表示部２５が構成されている。電源監視部２３は、カメラ電源部１１から供給される電圧１の電圧レベルや供給容量の状態を確認することが可能である。演算部２４は、電源監視部２３で確認した電圧１の状態を取得することが可能である。表示部２５は、演算部２４の指示により、各種情報を表示することが可能である。そのため、演算部２４は、電源監視部２３で確認した電圧１の状態を、表示部２５に表示することが可能である。
【００２２】
以下、図２のフローチャートを参照して、演算部２４で行う電源確認処理の一例に関して説明する。
【００２３】
この処理は、演算部２４に格納されたコンピュータプログラムに従って行われる。また電源確認処理開始時に、ステップＳ１００の電源確認処理が開始され、その後ステップＳ１０１に進む。
【００２４】
ステップＳ１０１では、電源監視部２３で確認した電圧１の状態は、ドライブユニット部３０が電源として使用可能か否かを判断する。使用可能な場合はステップＳ１０２に進み、それ以外の場合はステップＳ１０３に進む。
【００２５】
ステップＳ１０２では、表示部２５に鏡筒電源接続部２２は、電源として使用可能と表示する。
【００２６】
ステップＳ１０３では、表示部２５に鏡筒電源接続部２２は、電源として使用不可と表示する。
【００２７】
このように構成することで、ユーザーは鏡筒電源接続部２２が電源として使用可能か否かを確認し、ドライブ電源接続部３１を鏡筒電源接続部２２に接続するか、不図示の外部電源に接続するかを判断することが可能となる。
【００２８】
以上のように構成することで、カメラ本体から交換レンズへの供給電力が不足する状態や、ＧＮＤレベルの異なる外部電源を使用する状態において、カメラ本体や交換レンズが誤動作なく安定して動作することを可能となる。
【００２９】
本実施例では、レンズ装置２０に表示部２５を構成し、鏡筒電源接続部２２が電源として使用可能か否かの表示を行ったが、演算部２４で判断した電源の状態は、不図示の通信手段を用いてカメラ装置１０やドライブユニット部３０に伝えても良い。その際は、カメラ部１０やドライブユニット部３０で電源の状態の表示を行う。また、レンズ装置２０とカメラ装置１０との間の信号線を介して、レンズ装置２０に接続されたカメラ電源部１１の電源容量を通信で受けることにより、カメラ電源部１１の電源のドライブユニット３０の電源としての適用可否を判断するようにしてもよい。
【００３０】
以上、本発明の好ましい実施形態について説明したが、本発明はこれらの実施形態に限定されず、その要旨の範囲内で種々の変形及び変更が可能である。
【符号の説明】
【００３１】
２０  レンズ装置
２１  電圧変換部
２２  鏡筒電源接続部（電源出力接続部）
３０  ドライブユニット部
３１  ドライブ電源接続部（電源入力接続部）
【図１】
2015028538.tif 000003
【図２】
2015028538.tif 000004